(57)【要約】【課題】多層円筒形容器の構築手順およびそれによって得られる容器を提供すること。【解決手段】シート（１、２）を別々に長方形に切断し、それらの角の１つを凹所切り（１．２、２．４）する。シート（１）は、他の二重のシートよりもわずかに大きい。層（２．１）上には他の内側のサブシート（２．３）からの像を反射する円筒形のレンズ（２．２）が配置されており、２枚のシート（１、２）が重ね合わされる。これらを合わせ、それらのへりを１つにつなぎ合わせて、上部に垂直な凹所切りを備えた管（３）を形成する。凹所切りを除いてシート（２）のへりを覆っている上部には小さなフランジ（１．３）が構成され、小さなフランジ（１．３）の端部の１つが他に重ねられる。へり（１．４）は、容器の底部（４）の段が付けられた部分（４．１）に挿入され、底部（４）にはフランジ（４．２）が付けられる。【選択図】図１
2004168425.tif 000002
【特許請求の範囲】
【請求項１】
個々の製品のための容器を製造する様々な手順の中でも、多層円筒形容器を構築するための手順であって、本質的に、
シート（１、２）を別々に長方形に切断し、それらの角の１つをそれぞれ凹所切り（１．２、２．４）し、内側のシート（１）の一枚が、凹所切りも含めて他のシート（２）よりも高さがわずかに高く、さらに従来の金属材料で作製されており、これには他の金属コーティング（１．１）を設けることも設けないこともでき、一方、他のシート（２）が二重で、プラスチック材料の層（２．１）を有し、レンズを構築する非常に多数の扇形円筒（２．２）の配列が外側に形成されており、このレンズが視角に応じて最内部のプラスチック・サブシート（２．３）上に組み込まれた多様な像を反射し、
２枚のシート（１、２）を、接着剤を使用せずに重ね合わせて相互固定し、
これらの端辺を合わせて１つにつなぎ合わせて、それらの角の１つが上部の垂直位置にくるように金属シートとプラスチック・シートの両シートを備えた管（３）を構成し、
上部で、金属シート（１）のへりを丸めてプラスチック・シート（２）のへりを覆わせることによって小さなフランジ（１．３）を構成して、両シートの角の凹所切り領域で小さなフランジ（１．３）の端部の片方を他方に重ね、プラスチック・シートの上部の水平へりを、凹所切りの部分を除いて金属シート（１）の小さなフランジ（１．３）の内側に完全に埋め込み、プラスチック・シート（２）のこのへりが小さなフランジ（１．３）の下部のへりと同一平面上にあり、
金属シート（１）の下部のへり（１．４）を、内部に段（４．１）が設けられた容器の底部片（４）に挿入し、
底部にフランジ付け加工（４．２）して、製品を導入してカバー（５）を挿入する準備のできた状態にすることを特徴とする多層円筒形容器を構築するための手順。
【請求項２】
代替的に、本体（６）を過剰な高さにする必要がないときに、カバー（７）と同じくプレス加工し、予め型打ちされ、成形され、重ね合わされたプラスチック・シート（１）を１枚または複数の金属シート（２）上に取り付け、その際１枚または複数のシート（２）の周囲すべてでへり（８）がシート（１）から突き出たままであり、最後の工程に進んで、プラスチック層（１）のへりにかぶせられた１枚または複数の金属シート（２）の突き出たへり（８）を縁取る小さなフランジ（９）を形成することによって、容器を構築できることを特徴とする請求項１に記載の多層円筒形容器を構築するための手順。
【請求項３】
請求項１又は２に記載の手順によって得られる多層円筒形容器であって、上部に垂直な凹所切りを備えた積層体由来の管状多層構造であり、板金（１）の内側のシートには他の金属コーティング（１．１）が設けられ、あるいは設けられておらず、さらに他の二重プラスチック・シート（２）は、高さがわずかに低く、外側の層（２．１）には多数の扇形円筒（２．２）が配置され、他の内側の層（２．３）が像を備え、さらにシート（１）の小さなフランジ（１．３）が凹所切りの部分を除いてシート（２）を組み込んでおり、プラスチック・シート（２）のこのへりがフランジ（１．３）の重なり部分の下部のへりと同一平面上にあり、シート（１）の下部のへり（１．４）が、内部に段（４．１）が設けられた容器の底部片（４）に挿入されることを特徴とする容器。
【請求項４】
管（３）および対応する本体（６）が、へりおよびスカートの幾何学形状を任意のもの、すなわち円形、楕円形、多角形、あるいは直線部分と他の湾曲部分との混合にして調製され、さらにその底面が平面状の形態をし、ならびに凹状または凸状に湾曲していることを特徴とする請求項４に記載の多層円筒形容器。
【発明の詳細な説明】
【技術分野】
【０００１】
本明細書に開示する発明は、個々の製品の保存および展示を目的として市場に出ている様々な容器の中でも、多層円筒形容器を構築するための手順と、それによって得られる容器とから成る。
【０００２】
本発明は、内側が板金で、外側が円筒形のレンズ状熱可塑性材料である、多層管状構造の容器の特殊な構造を特徴とする。
【０００３】
また本発明は、任意の幾何学形状で、平坦および湾曲した底面を有する、容器のカバーの特殊な構造を特徴とする。
【背景技術】
【０００４】
個々の製品の保存および展示のための容器は、製品の価値を高めるものであり、製品を広告する優れた手段である。
【０００５】
これらの展示手段は、ほとんどの多様な材料および形態に作製され、直立可能な薄板片あるいは非常に多様に仕上げられた他のものをベースとしている。
【０００６】
管状要素では、留められた端部を備える湾曲した金属シートまたはプラスチック・シートから開始し、それをその最長の長辺のへりに溶接する。
【０００７】
次いで、対向する２つの底面と、そのようにして作製された囲いの内側へ製品が組み込まれる。
【０００８】
本出願人は、本明細書に開示した特徴を有する金属およびプラスチック材料の多層容器の存在を知らない。
【発明の開示】
【発明が解決しようとする課題】
【０００９】
本明細書の発明の目的は、多層円筒形容器を構築するための手順と得られる容器とに関し、この発明の手順は、次のことを特徴とする。
【課題を解決するための手段】
【００１０】
両方のシートを切断する。プラスチック材料のシートの高さはわずかに低い。同時に、これらの角の１つに凹所切り実施する。この凹所切りも、金属シートよりもプラスチック・シートでは寸法が小さい。
【００１１】
これらを、接着剤を使用せずに重ね合わせる。
【００１２】
それらの端辺を結合させ、１つにつなぎ合わせて、両方のシート、すなわち金属およびプラスチック・シートを管状に構成する。
【００１３】
金属シートの上部へりを丸めてプラスチック・シートのへりを覆わせることによって、小さなフランジを構成する。この際、両シートの角の凹所切り領域で端部の片方を他方に重ねる。
【００１４】
金属シートの下部のへりを、従来の、容器の内側に段のある底部に挿入する。
【００１５】
底部にフランジ付け加工して、製品を導入し、やはり従来のカバーを挿入する。
【００１６】
本発明は、同様に、容器のカバーの特殊な構造を特徴としており、そのへりおよびスカートが任意の幾何学形状、すなわち、円形、楕円形、多角形、または直線部分と他の湾曲部分との混合で、さらにその底面が平面状に、あるいは凹状または凸状に湾曲して配置されている。
【００１７】
このような目的で、積層体由来の円筒形の管状または多面体容器での利用について、ならびに、予め同じ形にされて適切に重ね合わされたシートの両方の層をしっかりと保持する従来の型打ちされた本体と、ローラ、タンポン、または他の公知のへり仕上げ手順によって仕上げられたへりとを備える高さの低い他のものについて、カバーの構造が特殊であり、プラスチック層の寸法が金属層よりもわずかに小さく、その後の工程でプラスチック層のへりにかぶせられた金属層の突き出た部分を縁取る小さなフランジが形成される。
【００１８】
本記述明細書は、本発明の好ましい実施例を非限定的に図示する１組の図面を備えている。
【実施例】
【００１９】
前述したことに照らして、本発明は、多層円筒形容器を構築するための手順と、それによって得られる容器とに関する。
【００２０】
これは、個々の製品の保存および展示を目的として市場に出ている様々な容器群、より詳細には単位価格の高い飲料の容器群に属するが、その用途を食用以外のものを含む他の製品に拡張することができる。
【００２１】
本発明は、内側が板金で、外側が円筒形のレンズ状熱可塑性材料である、従来のカバーおよび底部ならびに管状の多層構造を備えた容器の特殊な構造を特徴とする。
【００２２】
この目的で、両シートを長方形に切断することから開始し、その１つである内側のシート（１）が従来の、好ましくはカバーおよび底部と同一のタイプの金属材料であり、これには他の金属コーティング（１．１）を設けることも設けないこともできる。
【００２３】
他のシート（２）は、わずかに低い高さに切断されるが、プラスチック材料は二重になっており、外側の層（２．１）が視角に応じて最内部のプラスチック・サブシート（２．３）内に組み込まれた多様な像を反射するレンズを構築する、非常に多数の扇形円筒（２．２）の配列を与えている。
【００２４】
同様に次の工程に進んで、これらの各シート（１、２）をそれらの角の１つをそれぞれ凹所切り（１．２、２．４）する。これらは上方位置になければならない。また、この凹所切りの高さが金属シート（１）よりもプラスチックの二重シート（２）で寸法が小さいという条件を満たさなければならない。
【００２５】
２枚のシート（１、２）を、接着剤を使用せずに単純で適切なツールによって重ね合わせて相互固定する。
【００２６】
次いで、従来のようにこれらの端辺を合わせて１つにつなぎ合わせて、金属シートとプラスチック・シートの両シートを備えた管（３）を構成する。
【００２７】
その後、次の工程に進み、上部で金属シート（１）のへりを丸めてプラスチック・シートのへりを覆わせることによってフランジ（１．３）を構成する。結果、両シートの角の凹所切り領域で小さなフランジの端部の片方が他方に重なる。
【００２８】
したがって、プラスチック・シート（２）は、その上部の水平へりにより、小さなフランジ（１．３）の下部のへりと同一平面上にある凹所切り（２．４）の部分を除いて、金属シート（１）の小さなフランジ（１．３）の内側に完全に埋め込まれる。したがって、フランジ（１．３）の重なりは、プラスチック・シート（２）の接合部（ｈｏｏｋ）の屈曲に重ならないことにより、管（３）の口部全体にわたって一様になる。
【００２９】
下部の垂直な側面部について、それに接して終端しているプラスチック・シートを大きく切り込んだ結果得られる金属シートのへり（１．４）は、容器の、段（４．１）のある従来の内側底部片（４）を挿入するのに使用されるものである。
【００３０】
これで、底部にフランジ（４．２）を付けて底部を仕上げ、製品を導入し、従来のカバー（５）を挿入するのに十分である。
【００３１】
あるいは、本体（６）を過剰な高さにする必要がないときには、カバー（７）と同じくプレス加工し、予め型打ちされ（ｓｔａｍｐｅｄ）、成形され、重ね合わされたプラスチック・シート（１）を１枚または複数の金属シート（２）上に取り付け、その際１枚または複数のシート（２）の周囲すべてでへり（８）がシート（１）を越えて突き出たままであり、最後の工程に進んで、プラスチック層（１）のへりにかぶせられた１枚または複数の金属シート（２）の突き出たへり（８）を縁取る小さなフランジ（９）を形成することによって、容器を作製することができる。
【００３２】
このプレス加工された本体（６）は、要件および適用されるプレス加工技術に応じて様々な高さをしており、ＣＤおよび他のいずれかの製品を保持することを目的としており、これは、食品（ケーキ、菓子類、ビスケット、仕切り付きトレーに入れられたチョコレートなど）、または衣類（下着、アクセサリーなど）、あるいは単価の高い、包装できるいずれかの製品にすることができる。
【００３３】
管（３）および対応する本体（６）は、へりおよびスカートの幾何学形状を任意のもの、すなわち円形、楕円形、多角形、あるいは直線部分と他の湾曲部分との混合にして調製され、さらにその底面が平面状、ならびに凹状または凸状に湾曲している。
【００３４】
本発明の本質的な性質は、非制限的に記載したコンポーネント要素の材料、形態、サイズ、および配置の変更によっては変わらず、このことは、当業者がその再生産を開始するのに十分である。
【図面の簡単な説明】
【００３５】
【図１】シートの重ね取付け（ｏｖｅｒ−ｍｏｕｎｔｉｎｇ）と、その切り（ｃｏｒｎｅｒ  ｃｕｔｔｉｎｇ）とを示す平面図である。
【図２】分解して底部およびカバーを示している、本発明の容器の正面断面図である。
【図３】両シートに重ねられた小さいフランジの仕上げの詳細と、底部のフランジ付け加工の詳細とを示す、閉じた後の容器の図である。
【図４】好ましい実施例の環状のカバーの構造と、その仕上げ加工の詳細とを示す図である。
【図５】主特許の、積層体由来の管状容器への応用と、ＣＤを保持する型打ち（ｓｔａｍｐｅｄ）ボックスへの応用とを示す図である。
【図１】
2004168425.tif 000003
【図２】
2004168425.tif 000004
【図３】
2004168425.tif 000005
【図４】
2004168425.tif 000006
【図５】
2004168425.tif 000007